(57)【特許請求の範囲】
【請求項１】
排出事業者が排出した廃棄物を、運搬車で廃棄物処理業者へ搬送するときの、廃棄物の流れを管理センターで管理する廃棄物処理情報管理方法において、
前記排出事業者が排出した廃棄物を収容した容器または前記運搬車に、廃棄物の発生源別に設定された発生源別コードを付与し、
廃棄物を前記運搬車へ収集するときに、当該運搬車の車番情報と、前記容器または運搬車から読み取った前記発生源別コードとを管理センターへ送信し、
搬送中は、前記運搬車は所定時間ごとに当該運搬車の位置情報を発信し、
前記管理センターは、前記運搬車が発信する位置情報を受け取り、搬送出発時から前記廃棄物処理業者への搬入時の間の走行情報を取得することで廃棄物の位置を管理することを特徴とする廃棄物処理情報管理方法。
【請求項２】
運搬車から廃棄物処理業者へ廃棄物を搬入するときに、容器または運搬車に付与された発生源別コードを読み取り、当該発生源別コードおよび当該運搬車の車番情報とを前記管理センターに送信し、
廃棄物を運搬車へ収集するときの発生源別コードおよび車番情報と、廃棄物を廃棄物処理業者へ搬入するときの発生源別コードおよび車番情報とをチェックすることを特徴とする請求項１に記載の廃棄物処理情報管理方法。
【請求項３】
廃棄物を前記運搬車へ収集するときに、さらに廃棄物が収容された容器または運搬車の重量情報を前記管理センターに送信し、
運搬車から前記廃棄物処理業者へ廃棄物を搬入するときに、容器または運搬車に付与された発生源別コードと重量情報と車番情報とを前記管理センターに送信し、
廃棄物を運搬車へ収集するときの発生源別コード、重量情報および車番情報と、廃棄物を廃棄物処理業者へ搬入するときの発生源別コード、重量情報および車番情報とをチェックすることを特徴とする請求項１に記載の廃棄物処理情報管理方法。
【請求項４】
排出事業者が排出した廃棄物を、運搬車で廃棄物処理業者へ搬送するときの、廃棄物の流れを管理センターで管理する廃棄物処理情報管理方法において、
前記排出事業者が排出した廃棄物を収容した容器または前記運搬車に、廃棄物の発生源別に設定された発生源別コードを付与し、
廃棄物を前記運搬車へ収集するときに、マニフェスト伝票のコードと、当該運搬車の車番情報と、前記容器または運搬車から読み取った前記発生源別コードを管理センターへ送信し、
搬送中は、前記運搬車は所定時間ごとに当該運搬車の位置情報を発信し、
前記管理センターは、前記運搬車が発信する位置情報を受け取り、搬送出発時から前記廃棄物処理業者への搬入時の間の走行情報を取得することで廃棄物の位置を管理することを特徴とする廃棄物処理情報管理方法。
【請求項５】
前記管理センターは、受信した前記マニフェスト伝票のコードと、前記運搬車の車番情報と、前記容器または運搬車から読み取った前記発生源別コードとを含むマニフェスト情報を、前記排出事業者または前記運搬車の事業者へ発信することを特徴とする請求項４に記載の廃棄物処理情報管理方法。
【請求項６】
運搬車から廃棄物処理業者へ廃棄物を搬入するときに、容器または運搬車に付与された発生源別コードを読み取り、当該発生源別コードおよび当該運搬車の車番情報とを前記管理センターに送信し、
廃棄物を運搬車へ収集するときの発生源別コードおよび車番情報と、廃棄物を廃棄物処理業者へ搬入するときの発生源別コードおよび車番情報とをチェックすることを特徴とする請求項４に記載の廃棄物処理情報管理方法。
【請求項７】
廃棄物を前記運搬車へ収集するときに、さらに廃棄物が収容された容器または運搬車の重量情報を前記管理センターに送信し、
運搬車から前記廃棄物処理業者へ廃棄物を搬入するときに、容器または運搬車に付与された発生源別コードと重量情報と車番情報とを前記管理センターに送信し、
廃棄物を運搬車へ収集するときの発生源別コード、重量情報および車番情報と、廃棄物を廃棄物処理業者へ搬入するときの発生源別コード、重量情報および車番情報とをチェックすることを特徴とする請求項４に記載の廃棄物処理情報管理方法。
【請求項８】
排出事業者が排出した廃棄物を、運搬車で廃棄物処理業者へ搬送するときの、廃棄物の流れを管理センターで管理する廃棄物処理情報管理システムにおいて、
前記運搬車は、コードを読み取る読み取り部と、車載通信装置と、ＧＰＳ測位システムとを備え、
前記排出事業者が排出した廃棄物を収容した容器または前記運搬車に、廃棄物の発生源別に設定された発生源別コードを付与し、
廃棄物を前記運搬車へ収集するときに、当該運搬車の車番情報と、前記読み取り部により前記容器または運搬車から読み取った前記発生源別コードとを、車載通信装置により管理センターへ送信し、
搬送中は、前記運搬車は、前記ＧＰＳ測位システムで測定された当該運搬車の位置情報を所定時間ごとに発信し、
前記管理センターは、前記運搬車が発信する位置情報を受け取り、搬送出発時から前記廃棄物処理業者への搬入時の間の走行情報を取得することで廃棄物の位置を管理することを特徴とする廃棄物処理情報管理システム。
【請求項９】
排出事業者が排出した廃棄物を、運搬車で廃棄物処理業者へ搬送するときの、廃棄物の流れを管理センターで管理する廃棄物処理情報管理システムにおいて、
前記運搬車は、コードを読み取る読み取り部と、車載通信装置と、ＧＰＳ測位システムと、所定情報を入力する入力手段を備え、
前記排出事業者が排出した廃棄物を収容した容器または前記運搬車に、廃棄物の発生源別に設定された発生源別コードを付与し、
廃棄物を前記収集・運搬車両へ収集するときに、少なくともマニフェスト伝票のコードと、当該運搬車の車番情報と、前記容器または運搬車から読み取った前記発生源別コードと、前記入力手段により入力される前記容器または運搬車の重量情報とを前記管理センターへ送信し、
搬送中は、前記運搬車は、前記ＧＰＳ測位システムで測定された当該運搬車の位置情報を所定時間ごとに発信し、
前記管理センターは、前記運搬車が発信する位置情報を受け取り、搬送出発時から前記廃棄物処理業者への搬入時の間の走行情報を取得することで廃棄物の位置を管理することを特徴とする廃棄物処理情報管理システム。
【請求項１０】
前記管理センターは、受信した前記マニフェスト伝票のコードと、前記運搬車の車番情報と、前記容器または運搬車から読み取った前記発生源別コードと重量情報とを含むマニフェスト情報を、前記排出事業者または前記運搬車の事業者へ発信することを特徴とする請求項９に記載の廃棄物処理情報管理システム。
【発明の詳細な説明】
【０００１】
【産業上の利用分野】
本発明は特別管理廃棄物の回収から運搬、処理までの過程を追跡、記録する廃棄物処理情報管理方法およびシステムに関する。
【０００２】
本発明においてＳＣＭＳシステム（ＳＣＭＳはSatellite Communication
Management Systemの略）とは、図１に概略を示すように、廃棄物処理の流れを、衛星通信を使い情報の収集を行うことにより、排出事業者・収集運搬業者・中間処理業者間の廃棄物処理の管理を可能とし、収集した情報から必要な情報を速やかに作成し提供することを目的とするシステムをいう。
【０００３】
本発明においては特別管理廃棄物という用語は、爆発性、毒性、感染性など人の健康、生活環境に被害を生じるおそれがある一般廃棄物または産業廃棄物のみならず、大量に発生しその投棄が環境汚染に多大の影響のある一般廃棄物または産業廃棄物を含めた意味で用いている。
以下、本発明の説明は、特別管理廃棄物として主として医療機関から排出される感染性廃棄物を例に挙げて説明するが、本発明は他のあらゆる特別管理廃棄物に対して全く同様に適用できることは言うまでもない。
【０００４】
【従来の技術】
使用済みの注射針、血液が付いたガーゼなど、病原菌が広がる恐れがある病院からの廃棄物は、一般の廃棄物とは別に処理することが法律で義務づけられている。しかし、手間やコストがかかることを嫌い、一般廃棄物に混ぜたり、そのまま投棄するケースが後を絶たない。また、建築現場で発生する廃材など一度に大量に発生しその処分場所を確保することが困難であり不法投棄の問題が生じている。
【０００５】
現在行われている感染性廃棄物の処理の流れは、収集・運搬業者が中間処理業者へ持ち込む方法が多数で、収集・運搬および中間処理を一括で行う業者とに二分されている。いずれもそれぞれの契約の形態（三者間および二者間）で実行されているが、その内容についてはまちまちである。平成５年７月１日より新たに廃棄物清掃法が実施され、積荷明細伝票（以下、マニフェスト伝票ということもある。）が法的に用いられているが、実際の現場での運用は従来の納品書の位置づけの枠を抜け出せない状況が多く見られる。
【０００６】
また、排出事業所においても、感染性廃棄物の取り扱いの意識が今までの産業廃棄物あるいは一般廃棄物の領域から脱皮されていない状況がある。事業所から排出される感染性廃棄物が月に何円であると言った捉え方の域をでていない。処理費の支払い金額で多い、少ない、そして処理費が高い、安いの範疇である。このような次元では感染性廃棄物の適正処理は不可能である。それではとなると、今までのゴミ処理から発展した感染性廃棄物の処理を急激に、発生源ごとの実質重量等のデータを基に管理しようとしても、そのデータをどのように集積すればよいか、またそのようなデータを誰が、どこで、どのように持っているかが問題である。今回マニフェスト伝票の導入によってある程度のデータは得られるが、あくまでも排出事業所単位であり、発生源および感染性廃棄物の実質重量となると非常に難しい。
【０００７】
【発明が解決しようとする課題】
本発明は排出事業所の発生源ごとの特別管理廃棄物を実質重量で管理することが可能である廃棄物処理情報管理方法およびシステムを提供しようとするものである。このシステムを用いることにより、特別管理廃棄物の分別と排出量の抑制、排出事業所の経営上の管理に活用できるデータおよび、行政報告用のデータを提供し、排出事業所の発生源単位の特別管理廃棄物の固体別（容器または運搬車）位置情報を地図上でリアルタイム（現在どこを運搬中か、処理工場に搬入済みか、処理終了かの位置情報および運搬経路等）に把握できるものである。これにより不法投棄等の問題を解決しようとするものである。
【０００８】
特別管理廃棄物は人体や環境に悪影響を及ぼす可能性があり、全て確実かつ適正に処理されるべきものである。従来、医療廃棄物を含めた特別管理廃棄物は他の一般的な廃棄物から区別した特別に管理された専用の処理ルートに乗せており、収集・運搬の際に封入容器の受渡し個数をチェックすることにより、または建築現場で発生する廃材など一度に大量に発生するものは運搬車単位でチェックすることにより、廃棄物管理は行なわれている。
【０００９】
発生場所及び収集場所である病院ごとに記載した例えば専用伝票により、収集場所からの搬出時と廃棄処理施設への搬入時とのそれぞれにおいて封入容器の個数を収集場所単位で照合するのであるが、伝票によるグループ単位の個数管理では、個々の封入容器の流れまでは把握できないため、例えば、搬送の途中で故意又は過失により、廃棄処理すべき特別管理廃棄物を封入した容器が他の一般的な廃棄物等を収容した別の容器と入れ替わったとしても照合時にこれを発見することが困難な場合がある。上記のような搬送時の過誤に基づく封入容器の紛失や不法投棄等の不適性な処理を減少させ、過誤が生じたときにはこれを正確に検出しすみやかに対処することができるように、特別管理廃棄物の封入容器あるいは積載運搬車に対して信頼性のある個別管理を実施することが課題となっている。
【００１０】
このような状況下、本発明は、特別廃棄物の回収から運搬、処理までの過程を追跡、記録する廃棄処理情報管理方法およびシステムを提供しようとするものである。
【００１１】
【発明を解決するための手段】
本発明は、排出事業者が排出した廃棄物を、運搬車で廃棄物処理業者へ搬送するときの、廃棄物の流れを管理センターで管理する廃棄物処理情報管理方法において、前記排出事業者が排出した廃棄物を収容した容器または前記運搬車に、廃棄物の発生源別に設定された発生源別コードを付与し、廃棄物を前記運搬車へ収集するときに、当該運搬車の車番情報と、前記容器または運搬車から読み取った前記発生源別コードとを管理センターへ送信し、搬送中は、前記運搬車は所定時間ごとに当該運搬車の位置情報を発信し、前記管理センターは、前記運搬車が発信する位置情報を受け取り、搬送出発時から前記廃棄物処理業者への搬入時の間の走行情報を取得することで廃棄物の位置を管理することを特徴とする廃棄物処理情報管理方法およびシステムである。
【００１２】
【発明の実施の形態】
本発明は、予め収集場所及び発生場所に関するデータを表示したバーコードラベルを、特別管理廃棄物を収容した複数の容器あるいは運搬車にその収集場所で個別に付し、それら複数の容器あるいは運搬車を収集場所から回収、搬出する前に、収集場所で、個々の容器あるいは運搬車に付したバーコードラベルのデータをバーコードリーダーにて容器ごとにあるいは運搬車ごとに読み込み、容器ごとあるいは運搬車ごとの重量を計量し、これらの情報を通信衛星の端末に入力する。
【００１３】
通信衛星の端末に入力された該バーコードの情報に基づき必要事項を記入された積荷明細伝票（マニフェスト伝票）を受け取り、出発時から入庫時の間の走行情報を自動で通信衛星を通じて記録する。位置情報、走行経路の記録、運転日報の自動作成等のオムニトラックスの運行管理システムを運用できる。
【００１４】
複数の容器あるいは運搬車を収集場所から中間処理場所ヘ搬送した後に、中間処理業者はその場所で、個々の容器あるいは運搬車に付したバーコードラベルのデータを再び読み取り、処理日時の情報とともにマニフェスト管理システムに送信する。工場内に中間処理を行うまで一時保管する。保管された感染性廃棄物を含む特別廃棄物を中間処理を行う時点で再度バーコードを読み取り処理日時の情報をマニフェスト管理システムに送信する。
【００１５】
個々の容器あるいは運搬車に関し、収集・運搬業者が収集した時点のデータ及び、中間処理業者から搬入、中間処理済みのデータを通信衛星から受信し、収集、搬入、処理のデータのチェックを行い、不適合があれば、プリントアウトし、関係業者に連絡の上確認を行うよう指示をする。
【００１６】
上記バーコードラベルは、予め収集場所及び発生場所に関するデータを表すバーコードを表示した特別管理廃棄物用容器または運搬車に付すためのラベルである。上記バーコードの情報とともに計量した容器または運搬車ごとの重量のデータを入力することができる。上記バーコードラベルとして、上記バーコードのそばに特別管理廃棄物である旨のマークを表示したものが好ましい。特別管理廃棄物である旨のマークは感染性廃棄物である旨を表示するマークであり、好ましくはバイオハザードマークである。感染性廃棄物を収納した運搬容器には、感染性廃棄物である旨及び取り扱い際に注意すべき事項を表示することとなっている。全国共通のマークとしてバイオハザードマークが推奨されている。
【００１７】
通信衛星を使用した特別管理廃棄物処理情報システムを活用するには、例えば病院が医療用廃棄物を出す際、収集容器に病院名や所属などを記録したバーコードのシールをはってもらう。回収車にはバーコードの読み取り装置を備え、収集容器を積むたびにデータを記録する。運搬中も３０分ごとに衛星通信で回収車の位置を確認し、中間処理工場への搬入時と消毒や焼却などの完了時に再び収集容器のバーコードを記録する。
【００１８】
データはすべて通信衛星を通じて大型コンピューターに記録し、病院や収集・処理業者に報告する。途中で収集容器が無くなったり、回収車に不審な動きがあればすぐに分かるので、不法投棄が防げる。また、運行管理がしやすく、収集も効率よくできる。ウイルス感染などを起こす危険がある医療廃棄物は、一般廃棄物と区別して消毒か焼却し、感染性を無くしたうえで最終処分をするよう定められている。廃棄物にはマニフェストと呼ばれる管理票を付け、病院と業者がチェックして適正処理を確認する。
【００１９】
現実には医療廃棄物を一般廃棄物に混ぜて処理し、虚偽の管理票でつじつまを合わせている例もあるとみられている。確実に適正処理ができることで病院の信頼が得られる。
【００２０】
通信衛星を使用した特別管理廃棄物処理情報システムが、排出事業所、収集・運搬業者、中間処理業者および管理センター（衛星システム導入会社、実施例ＳＣＭＳ管理センター参照）および必要により行政において、どのような役割をもち機能するかについて説明する。
１．排出事業所
本発明の特徴とするバーコードラベルおよび通信衛星の端末に入力された該バーコードを含む関係情報に基づき必要事項が記入される積荷明細伝票の組み合わせを用いて排出事業所内の発生源ごとの排出量の管理を行うことで、発生源での感染性廃棄物の分別をより確実に、しかも部署別、内容別の数値管理を実質重量で行うことができる。部署別管理が行えることで、現在感染性廃棄物に混入している通常ゴミ等が分別されることになり、感染性廃棄物の抑制に寄与する。部署別の数値管理が行えることで院内の発生部署ごとの予算作成に活用することができ、また、排出事業所の部署別売上と感染性廃棄物処理費用の対比等を確実に行うことができる。
排出事業所が収集・運搬業者に感染性廃棄物を引き渡した後、リアルタイムに引き渡した感染性廃棄物が固体別にどこにあるか、どこを搬送中か、いつ処理工場に引き渡されたか、いつ処理が行われたか、またはどこに滞留しているかが掌握できることで、処理を委託した感染性廃棄物の状況がつかめるので、排出事業所としての管理責任は十分に果たすことができる。
【００２１】
この一連のシステムから取り出せる情報から行政報告に必要なデータを取り出し転記するなど年間の行政報告の作成に利用できる。処理コストについても現状の処理委託費内で運用できる。以上の情報のバックデータは５年間保存され、年月日と車両コードを指定すれば収集・運搬車両が何時に、どこに立ち寄り、どこを通過し処理工場に搬入したかは地図上で航跡と時間を明示できるシステムを構築し、実施するものであり、排出事業所責任として不法投棄を含めた不法処理および不適切処理が防止できる。
【００２２】
２．収集・運搬業者
排出事業所同様の感染性廃棄物の管理が行える。また、発生源で劇物、有害物を誤って感染性廃棄物の中に混入するようなことがあれば固体別に管理が行われるので、発生源が特定され、爆発事故、ガス発生事故等が防止でき、排出事業所の不法な排出（例えば、感染性廃棄物の中に水銀の試薬等が混入されているケース。現在では排出事業所が特定されない）が防止される。また、運搬車両から位置情報を定期的に通信衛星を介して航跡を自動記録できることで、運行管理が行える上、運転日報がシステムから自動作成され、職員の管理と省力化が行える利点がある。収集・運搬を行う職員と連絡が衛星を通じて随時行えることで現場の状況把握と管理部門の省力化がはかれ、収集・運搬効率が向上する。
【００２３】
３．中間処理業者
排出事業所、収集・運搬業者同様の感染性廃棄物の管理が行える。
現在、排出事業所と収集・運搬業者、並びに中間処理業者との二者間契約が行われるようになってきているが、収集・運搬業者が営業を行い排出事業所（新規顧客）を発掘し、提携先の中間処理業者に契約を持ち込み収集・運搬業者主導で二者間契約を行っているが、収集・運搬業者が収集・運搬した全量を中間処理業者に持ち込めば、なんら問題は起こらないが、中間処理費を削減するために、収集・運搬した感染性廃棄物を自社内で詰め替え（例えば２個を１個に圧縮し詰め替える方法、一般廃棄物に混入し公共の焼却処理施設に合わせ産廃として持ち込む方法）不法処理を行っている問題が解決できる。
【００２４】
４．行政
行政としては排出事業所、収集・運搬業者、中間処理業者の三者の感染性廃棄物の動向を的確、且つリアルタイムに掌握することを採用可能となる。このシステムを現在公的機関で研究開発中の地上管理システムとドッキングさせることができるため、各排出事業所の行政に対する報告のチェックも容易に行え、行政側としての各事業所の不法投棄、不法処理防止等の管理と監視、三者のチェックの省力化と正確な管理が行える。さらにそれぞれの事業所（排出事業所、収集・運搬業者、中間処理業者）に対して義務づけられている年間の行政報告書の提出について、現在行っている各事業所から送付された報告データを突き合わせて管理することは、よほどの問題がない限りチェックできないのが現状である。本来の行政報告の目的を達成することは不可能である。またファイルによって送られてくる行政報告書を５年間保管するスペースと検索のコストを考えれば行政報告書をデータ化して保存するメリットは計り知れないものがある。これは、許可件数の多い行政、排出事業所の多い行政ほど、省力化ができる。
【００２５】
【実施例】
以下、本発明をその一実施例により詳細に説明する。以下の説明においては、医療機関から排出される感染性廃棄物を対象としているが、本発明は他のあらゆる特別管理廃棄物に対して全く同様に適用できることは言うまでもない。
【００２６】
実施例１
通信衛星を使用した特別管理廃棄物処理情報システムの使用態様について説明する。
排出事業所
排出事業所の業務フローの概略を図２に示す。
１．管理する発生源別のコードを設定する（排出事業所から注文を受け管理部所ごとにバーコードを作成し納品する）
２．発生源にバーコードを配布する。感染性廃棄物を対象としていることが明確なようにそれを表示するマークをバーコードと並べて表示するラベルとする。
３．容器ごとにバーコードラベルを発生源で貼付
４．容器に感染性廃棄物が満杯になった時点で保管庫に院内移動を行い保管する
【００２７】
収集・運搬業者
収集・運搬業者の業務フローの概略を図３に示す。
１．定期収集
２．収集時にバーコードリーダーにて容器ごとに読み込み。
３．容器ごとに重量の計量
４．通信衛星の端末に２、３の情報を入力（ハンディーターミナル）
５．マニフェスト伝票の受取
６．出発時から入庫時の間の走行情報を自動で通信衛星を通じて記録。
位置情報、走行経路の記録、運転日報の自動作成等のオムニトラックスの運行管理システムを運用できる。
７．管理センターから収集・運搬と搬入の不適合の連絡があった場合は排出事業所又は自社で確認し原因を解明する。
【００２８】
中間処理業者
中間処理業者の業務フローの概略を図４に示す。
１．収集・運搬業者の搬入時に搬入された感染性廃棄物を固体別にバーコードリーダーにて読み込み。
２．工場内に中間処理を行うまで一時保管する。
３．保管された感染性廃棄物を中間処理を行う時点で再度バーコードを読み取り処理日時の情報をシステムに送信する。
４．管理センターから不適合の連絡があった場合は、収集・運搬業者又は自社で確認し、データの修正を行う。
５．車両運行管理データを関係者に提供できる。
【００２９】
管理センター（衛星システム導入会社，図１および図６のＳＣＭＳ管理センター）
管理センターの業務フロー（マニフェスト）の概略を図５に、業務フロー（運行管理）の概略を図６に示す。
１．収集・運搬業者が収集した時点のデータを通信衛星から受信する。
２．中間処理業者から搬入、中間処理済みのデータを取り込む。
３．収集、搬入、処理のデータのチェックを行い、不適合があれば、プリントアウトし、関係業者に連絡の上確認を行うよう指示をする。
４．３の確認ができない場合は管轄の行政又は排出事業所に連絡し、関係者によって原因を明確にする。
【００３０】
行政（国、都道府県）
１．管理センターのシステムより感染性廃棄物の情報を地上管理システムとオンラインで結び、リアルタイムで収集・運搬、中間処理の実態の管理ができる。
２．感染性廃棄物の管理が確実、且つ簡単に行えるため、行政報告書の提出の必要性が無く、業務の簡素化が可能である。
３．排出事業所、処理会社からの行政報告がなければ、報告書の保管が必要なく業務の簡素化が図れる。
４．現在ほとんど行っていない排出事業所と業者のマニフェストのチェックが簡単に実行でき、行政報告書の保管、管理等の簡素化が図れる。
【００３１】
設備機器
１．車載設備（収集・運搬車両１台当たり）
車載通信装置およびＧＰＳ測位システム
ハンディーターミナルおよびバーコードリーダー
２．センター設備（ＪＱＴＲＡＣＳ用）−管理会社用
ＪＱＴＲＡＣＳ用ＰＣ
運行管理汎用ソフトウエア（ＪＱＴＲＡＣＳ）
専用ターミナル
ＦＥＰ配信制御ルーチン
インターフェイスおよび通信ソフト
データ入力画面カスタマイズ
ＪＱＴＲＡＣＳ変更
地上系通信設備（横浜ネットワークセンターとの通信）
３．中間処理工場設備
通信装置およびＧＰＳ測位システム
ハンディーターミナルおよびバーコードリーダー
通信アダプタ
専用ターミナル
（工場搬入時用、中間処理時用各１台、合計２台）
【００３２】
実施例２
携帯端末機能仕様
ＳＣＭＳｙｓｔｅｍの中の、廃棄物の収集・管理を行う車載機器の内、携帯端末の機能仕様について説明する。
車載機器の構成を図７に示す。携帯端末以外は常時車両に搭載されており、各機能は以下のとおりである。
ＧＰＳアンテナ：ＧＰＳ衛星から信号を受信し、車両の位置情報を衛星通信装置に送信する。
衛星通信アンテナ：通信衛星と送受信する。
衛星通信制御装置：通信衛星との双方向通信を制御する。
車載表示端末：携帯端末からの情報と車両からの運行情報を表示し、かつ衛星通信制御装置に送信する。また、指令局（オフィス）からの送信情報を表示する。
携帯端末通信装置：携帯端末からの情報を車載表示端末に送信する。
携帯端末（ＢＨＴ，バーコードハンディターミナル）：廃棄物の各種情報（収集、搬入、処理等）を収集し、携帯端末通信装置に転送する。
携帯端末の機能概要を表１に示す。
【００３３】
【表１】
0003707205.tif 000002
【００３４】
表１の各機能について説明する。
業務の選択
(1)表示項目
表示の開始：新規使用前の携帯端末の「ＰＷ」キーを押し下げた時
表示の終了：設定する業務の数字をテンキーで入力した後に「ＥＮＴ」キーを押し下げた時
表示の仕方：選択された業務名が反転表示する。
携帯端末上での画面イメージを図８に示す。
(2)操作項目
設定する業務をテンキーで入力した後に「ＥＮＴ」キーを押し下げる。
(3)その他
0003707205.tif 000003
設定確定後は、変更の操作がなされるまで設定を保持する。
設定の変更：「ＰＷ」キーを押し下げると、『担当者コード入力画面』（図９）が表示され、その画面のまま、「ＳＦ」キーを押しながらテンキーにてパスワード（「３７３８」）を押し下げる。すると『業務選択画面』（図８）が表示されるので、所望業務の数字をテンキーにて入力する。
操作は新規使用前に管理者が設定する。
【００３５】
情報の入力
１．担当者コード入力
(1)表示項目
表示の開始：「ＰＷ」キーを押し下げた時、又は「担当者」キーを押し下げた時
表示の終了：入力域にテンキーにて該当数字を入力後、「ＥＮＴ」キーを押し下げた時
表示の仕方：入力した値を左づめで表示（５桁）
携帯端末上での画面イメージを図９に示す。
(2)操作項目
入力域にテンキーにて該当数字（５桁）を入力後、「ＥＮＴ」キーを押し下げる。
(3)その他
該当桁数より少ない時は［０］を左頭に用い、５桁で表示する。（例．００１２３）。また、多く入力した時ははみ出した分を受け付けず、その際にはブザー音を鳴らす。入力はバーコード、テンキーの両方の入力が可能。新規に入力するまでは、前回入力した値を記憶し、かつ表示する。前回入力した値と同一（担当者が同一）であれば「ＥＮＴ」キーを押し下げることにより確定する。確定後、間違えたことに気付いた時は、「担当者」キーを押し下げると、『担当者コード入力画面』（図９）が表示されるので、再度正確な数字を入力する。またその際は、最新の入力値に更新される。
【００３６】
２．モードの選択
(1)表示項目
表示の開始：『業務選択画面』（図８）で［１：車両］を選択した後の車両業務のモードにおいて、『担当者コード入力画面』（図９）で入力域にテンキーにて該当数字を入力後、「ＥＮＴ」キーを押し下げた時
表示の終了：所望の数字をテンキーで入力した後に「ＥＮＴ」キーを押し下げた時、「担当者」キーを押し下げた時
表示の仕方：選択された数字と業務名が反転表示する
携帯端末上での画面イメージを図１０に示す。
(2)操作項目
設定する業務をテンキーで入力した後に「ＥＮＴ」キーを押し下げる。
(3)その他
業務の定義：収集─排出業者から廃棄物を収集する業務
積替─運搬車両を変更する際に廃棄物を積替える業務搬出─保管所または、処理工場から搬出する業務
設定確定後は、変更の作業がなされるまで設定を保持する。
設定の変更：『モード選択画面』（図１０）で他のモードを選択した後に「ＥＮＴ」キーを押し下げる。
【００３７】
３．入力画面１
(1)表示項目
表示の開始：『業務選択画面』（図８）で［１：車両］を選択し、かつ、『モード選択画面』（図１０）で［１：収集］を選択した後に「ＥＮＴ」キーを押し下げた時、又は「入力」キーを押し下げた時、又は「荷姿」キーを押し下げた時
表示の終了：『入力画面１』（図１１）でマニフェスト伝票番号と荷姿コードの入力域にバーコードで入力、もしくはテンキーにて入力後、「ＥＮＴ」キーを押し下げた時、又は「担当者」キーを押し下げた時
表示の仕方：入力した値を左づめで表示
「荷姿」キーを押し下げた後に『入力画面１』（図１１）を表示した時は、荷姿コードの入力域にカーソルが移動して、入力待ちの状態となる。また、その際にマニフェスト伝票番号は以前入力した値を記憶かつ表示する。
端末上での画面イメージを図１１に示す。
(2)操作項目
入力域にバーコードもしくはテンキーにて該当数字（マニフェスト番号：１０桁、荷姿コード：２桁）を入力する。バーコードで入力した際は、読み込まれた時点で確定される。また、テンキーで入力した際は「ＥＮＴ」キーを押し下げた時に確定される。また、「↑」、「↓」キーにてカーソルを移動することも可能。
【００３８】
４．入力画面２
(1)表示項目
表示の開始：『業務選択画面』（図９）で［１：車両］を選択し、かつ、『モード選択画面』（図１０）で［１：収集］を選択し、かつ、『重量入力選択画面』（図１２）で［１：毎回重量入力］を選択した後、「ＥＮＴ」キーを押し下げた時
表示の終了：『入力画面２』（図１３）でハザードマーク番号と重量の入力域にバーコードで入力、もしくはテンキーにて入力後、「ＥＮＴ」キーを押し下げた時、「担当者」キーを押し下げた時
表示の仕方：入力した値を左づめで表示
重量は小数点１桁まで表示可能。また、整数値で入力した後の表示は小数点１桁の値を０（例．入力：１  →  表示：１．０）と表示する。バーコードで入力した際は読み込み確定した時点で画面上に表示する。重量の確定を「ＥＮＴ」キーで行った時は、画面上の入力域全てがクリアされ、次の入力待ちの状態となり、重量の確定をバーコードのトリガキー（次のハザードマークをバーコードで読み込んだ時）で行った時は、ハザードマークの入力域には次のハザードマークの値が表示され、また重量の入力域はクリアされ、入力待ちの状態となる。
携帯端末上での画面イメージを図１３に示す。
(2)操作項目
入力域にバーコードもしくはテンキーにて該当数字（ハザードマーク番号：１０桁、重量：小数点含む最大５桁  例．９９９．９）を入力する。バーコードで入力した際は、読み込まれた時点で確定。また、テンキーで入力した際は、「ＥＮＴ」キーを押し下げた時に確定される。重量は、所望の数字をテンキーで入力後、「ＥＮＴ」キーを押し下げる方法と、所望の数字をテンキーで入力後、次のハザードマークをバーコードで読み込んだ時点で確定する２通りの方法がある。重量の入力が必要ない時は［０］を入力する。また、「↑」、「↓」キーにてカーソルを移動することも可能。
(3)その他
同一のハザードマークを入力（バーコード、テンキー双方）した時は、受け付けず、また、その際には注意を促す『エラーメッセージ画面１』（図１４）とブザー音にて知らせる。
【００３９】
５．入力画面３
(1)表示項目
表示の開始：収集モード（『業務選択画面』（図８）で［１：車両］を選択かつ、『モード選択画面』（図１０）で［１：収集］を選択）において、『重量入力選択画面』（図１２）で［２：一括重量入力］を選択した後、「ＥＮＴ」キーを押し下げた時
表示の終了：『入力画面３』（図１５）でハザードマーク番号の入力域にバーコードで入力、もしくはテンキーにて入力後、「ＥＮＴ」キーを押し下げた時、又は「担当者」キーを押し下げた時
表示の仕方：入力した値を左づめで表示（１０桁）
バーコードで入力した際は読み込み確定した時点で画面上に表示する。ハザードマーク番号の確定を「ＥＮＴ」キーで行った時は、画面上の入力域がクリアされ、次の入力待ちの状態となる。また、確定をバーコードのトリガキー（次のハザードマークをバーコードで読み込んだ時）で行った時は、入力域には次のハザードマークの値が表示される。
携帯端末上での画面イメージを図１５に示す。
(2)操作項目
入力域にバーコードもしくはテンキーにて該当数字（１０桁）入力する。バーコードで入力した際は、読み込まれた時点で確定。また、テンキーで入力した際は「ＥＮＴ」キーを押し下げた時に確定される。
(3)その他
同一のハザードマークを入力（バーコード、テンキー双方）した時は、受け付けず、また、その際には注意を促す『エラーメッセージ画面１』（図１４）とブザー音にて知らせる。
【００４０】
６．入力画面４
(1)表示項目
表示の開始：収集モードにおいて、『入力画面３』（図１５）で入力後「重量」キーを押し下げた時
表示の終了：『入力画面４』（図１６）で重量の入力域にテンキーにて所望の数字を入力後、「ＥＮＴ」キーを押し下げた時、又は「担当者」キーを押し下げた時
表示の仕方：入力した値を左づめで表示
重量は小数点１桁まで表示可能。また、整数値で入力した後の表示は小数点１桁の値を０（例．入力：１  →  表示：１．０）と表示する。
携帯端末上での画面のイメージを図１６に示す。
(2)操作項目
入力域にテンキーにて該当数字（小数点含む最大５桁  例．９９９．９）を入力後「ＥＮＴ」キーを押し下げる。重量の入力の必要が無い時は［０］を入力する。
(3)その他
入力域にテンキーにて該当数字を入力後「ＥＮＴ」キーを押し下げる毎に重量は積算される。
【００４１】
７．車両ＩＤ入力画面
(1)表示項目
表示の開始：『業務選択画面』（図８）で［３：搬入］を選択し、搬入モードに設定した携帯端末（ＢＨＴ）において、『担当者コード入力画面』（図９）でテンキーにて該当数字を入力した後、「ＥＮＴ」キーを押し下げた時
表示の終了：『車両ＩＤ入力画面』（図１７）で車両ＩＤ（衛星通信制御装置ＩＤ）の入力域にバーコードで入力、もしくはテンキーにて入力後、「ＥＮＴ」キーを押し下げた時、又は「担当者」キーを押し下げた時
表示の仕方：入力した値を左づめで表示
バーコードで入力した際は読み込み確定した時点で画面上に表示する。
携帯端末上での画面イメージを図１７に示す。
(2)操作項目
入力域にバーコードもしくはテンキーにて該当数字（最大７桁）を入力する。バーコードで入力した際は、読み込まれた時点で確定。また、テンキーで入力した際は「ＥＮＴ」キーを押し下げた時に確定される。
【００４２】
８．作業区分入力画面
(1)表示項目
表示の開始：『業務選択画面』（図８）で［４：処理］を選択し、処理モ ードに設定した携帯端末（ＢＨＴ）において、『担当者コード 入力画面』（図９）でテンキーにて該当数字を入力した後、「 ＥＮＴ」キーを押し下げた時、又は「作業」キーを押し下げた 時
表示の終了：『作業区分入力画面』（図１８）で作業区分の入力域にバー コードで入力、もしくはテンキーにて入力後、「ＥＮＴ」キー を押し下げた時、又は「担当者」キーを押し下げた時
表示の仕方：入力した値を左づめで表示（２桁）
バーコードで入力した際は読み込み確定した時点で画面上に表示する。
携帯端末上での画面イメージを図１８に示す。
(2)操作項目
入力域にバーコードもしくはテンキーにて該当数字（２桁）を入力する。バーコードで入力した際は、読み込まれた時点で確定。また、テンキーで入力した際は「ＥＮＴ」キーを押し下げた時に確定される。
【００４３】
情報の集計
１．合計表示画面１
(1)表示項目
表示の開始：『業務選択画面』（図８）で［１：車両］を選択かつ、『モード選択画面』（図１０）で［１：収集］を選択し、収集モードに設定した携帯端末（ＢＨＴ）において、「合計」キーを押し下げた時
表示の終了：携帯端末（ＢＨＴ）を携帯端末通信装置上に固定した後、
「転送」キーを押し下げた時、又は「入力」キーを押し下げた時、又は「担当」キーを押し下げた時
表示の仕方：収集した情報の合計（個数、重量）をマニフェスト内の荷姿毎に表示。表示はマニフェスト毎に、また、マニフェスト内では荷姿毎に表示し、画面をスクロールすることにより収集結果の確認が可能。スクロールが可能な時（複数画面が存在する時）は、黒三角、逆黒三角の様な上下の意味を示す矢印（図形）を表示。総重量は小数点１桁まで表示。
携帯端末上での画面イメージを図１９に示す。
(2)操作項目
「↑」キーまたは、「↓」キーを押し下げることにより画面のスクロールを行う。
(3)その他
荷姿コードを［０１］と入力したときの総重量のみ、次の処理を行う。
総重量＝積算重量−（２Ｋｇ×総個数）
理由：コンテナ（容器）の重量が２Ｋｇである
『重量入力選択画面』（図１２）で［２：一括重量入力］を選択した時は、総重量を総個数で割った平均重量を各ハザードマーク番号毎に重量データを割り振り、小数点以下１桁で格納する。また、平均重量が小数点１桁以内に割り切れなかった時は、以下の処理を行い、各ハザードマーク番号毎に計算処理後の重量を格納する。総重量：Ｎ（小数点第１位以上で表現される数）、総個数：Ｍ（整数）とした時に平均重量をｎ（＝Ｎ／Ｍ）と定義する。但しｎは小数点第２位以下を切り捨てるものとする。従って、
ａ＝Ｎ−ｎ×Ｍ    (ａ：小数点以下第１位以上で表現される余数）
と表現される。
ここで、ａをｂ，ｃ（ｂ：整数部、ｃ：小数点第１位部）とすると総重量Ｎは以下の様になる。
0003707205.tif 000004
（ｎ1，ｎ2，ｎb・・・ｎM：各ハザードマーク毎に格納される重量）        従って、各ハザードマーク番号毎の重量データは上記ｎ1〜ｎMが各々格納される。
【００４４】
具体的な数値を用いた例を示す。
例．総重量：１００Ｋｇ、総個数５１個の時、
１００／５１＝１．９６．．．
となるため、まず全個数に小数点第２位以下を切り捨てた値１．９を重量（ｎ＝１．９）として格納する。また、
１００−（１．９×５１）＝３．１
となるため、１個目〜３個目には重量ｎに１を足した値２．９が各々の重量となり、また、４個目には０．１を足した値２が重量となる。
以上まとめると、全５１個中１個目〜３個目の重量は２．９Ｋｇ、４個目の重量は２Ｋｇ、以下残り全ての重量は各々１．９Ｋｇとなり、格納される。
【００４５】
２．合計表示画面２
(1)表示項目
表示の開始：積替、搬出、保管モードに設定した携帯端末（ＢＨＴ）において、［合計」キーを押し下げた時
表示の終了：携帯端末（ＢＨＴ）を携帯端末通信装置上に固定した後、「転送」キーを押し下げた時、又は「入力」キーを押し下げた時、又は「担当者」キーを押し下げた時
表示の終了：入力したコンテナの総個数を表示
携帯端末上での画面イメージを図２０に示す。
(2)操作項目
「合計」キーを押し下げる。
【００４６】
３．合計表示画面３
(1)表示項目
表示の開始：『業務選択画面』（図９）で［３：搬入］または［５：最終］を選択し、搬入モードに設定した携帯端末（ＢＨＴ）において、「合計」キーを押し下げた時
表示の終了：携帯端末（ＢＨＴ）を携帯端末通信装置上に固定した後、「転送」キーを押し下げた時、又は「入力」キーを押し下げた時、又は「担当者」キーを押し下げた時
表示の仕方：搬入したコンテナの総個数を車両ＩＤ毎に表示
画面をスクロールすることにより結果の確認が可能。スクロールが可能な時（複数画面が存在する時）は、黒三角の様な上下の意味を示す矢印（図形）を表示
携帯端末上での画面のイメージを図２１に示す。
(2)操作項目
「↑」キーまたは、「↓」キーを押し下げることにより画面スクロールを行う。
【００４７】
４．合計表示画面４
(1)表示項目
表示の開始：『業務選択画面』（図９）で［４：処理］を選択し、処理モードに設定した携帯端末（ＢＨＴ）において、「合計」キーを押し下げた時
表示の終了：携帯端末（ＢＨＴ）を携帯端末通信装置上に固定した後、「転送」キーを押し下げた時、又は「入力」キーを押し下げた時、又は「担当者」キーを押し下げた時
表示の仕方：処理したコンテナの総個数を作業区分毎に表示
画面をスクロールすることにより結果の確認が可能。スクロールが可能な時（複数画面が存在する時）は、黒三角の様な上下の意味を示す矢印（図形）を表示
携帯端末上での画面イメージを図２２に示す。
(2)操作項目
「↑」キーまたは、「↓」キーを押し下げることにより画面のスクロールを行う。
【００４８】
５．転送
(1)表示項目
表示の開始：携帯端末（ＢＨＴ）を携帯端末通信装置上に固定した後、「転送」キーを押し下げた時
表示の終了：携帯端末内の情報が携帯端末通信装置を介し、車載表示端末に転送が完了した時
表示の仕方：［転送中」と表示
携帯端末上での画面イメージを図２３に示す。
(2)操作項目
携帯端末（ＢＨＴ）を携帯端末通信装置上に固定した後、「転送」キーを押し下げる。
(3)その他
携帯端末（ＢＨＴ）を携帯端末通信装置から外さない限りは、転送が最優先される。携帯端末（ＢＨＴ）を携帯端末通信装置から外すと転送は一時中断し、再度、携帯端末通信装置に乗せると、転送が再開される。この時、一度転送されたものが再度転送されることはない。
【００４９】
６．消去
(1)表示項目
表示の開始：転送が終了した時
表示の終了：携帯端末内の情報の転送が終了し、一括消去が終了した時
表示の仕方：［消去中］と表示
携帯端末上での画面イメージを図２４に示す。
(2)操作項目
なし
(3)その他
携帯端末（ＢＨＴ）を携帯端末通信装置から外さない限りは、消去が最優先される。携帯端末（ＢＨＴ）を携帯端末通信装置から外すと、消去は一時中断し、再度、携帯端末通信装置に乗せると消去が再開される。消去が終了すると自動的に電源が切れる。
【００５０】
７．その他
(1)キーの機能
各キーの説明を以下に記す。
「ＰＷ」：電源の入、切を行う。電源を切る際には、長押し（０．５秒以上）しないと受け付けない。
「ＢＳ」：入力した値を右端から１文字ずつ消去する
「Ｃ」：入力の訂正を行う時に押し下げる。その際にカーソルは入力域の先頭に移動する。
「ＳＦ」：管理モードに入る時に押し下げる。
「合計」：入力した廃棄物の合計を表示させる。入力の終了確定を行う。
但し、入力途中の段階でキーを押し下げた時は、入力途中の項目はクリアされ、確定されない。
「転送」：転送機能を起動する。但し、携帯端末を携帯端末通信装置上に乗せない限り機能しない。
「重量／作業」：重量−『入力画面４』（図１６）を表示させる。但し、『重量入力選択画面』（図１２）にて［２：一括重量入力］を選択した時のみ機能する。
作業−作業区分を変更する際に押し下げる。
『作業区分入力画面』（図１８）を表示させる。
但し、処理モードの時のみ機能する。
「荷姿」：荷姿コードを変更する際に押し下げる。『入力画面１』（図１１）を表示させる。但しその際は、荷姿コードの入力域にカーソルが移動し、入力待ちの状態となる。また、「↑」、「↓」キーにてカーソルを移動することは可能。但し、収集モードの時のみ機能する。また、入力途中の段階でキーを押し下げた時は、入力途中の項目はクリアされる。
「入力」：各入力画面を表示させる。但し、「合計」キーを押し下げない限り機能しない。
「担当者」：『担当者コード入力画面』（図９）を表示させる。但し、入力途中の段階でキーを押し下げた時は、入力途中の項目はクリアされる。
「前画面」：一つ前に作業を行った画面に戻る。主に入力の訂正を行う時に用いる。
「↑」、「↓」：入力画面（図１１、１３）上ではカーソルを上下に移動させる。合計表示画面（図１９、２１、２２）上では画面を上下にスクロールさせる。
「１」〜「０」：数値を選択または入力する時に押し下げる。
「・」：小数点を入力する時に押し下げる。
「ＥＮＴ」：入力の確定を行う。
各キーは携帯端末（ＢＨＴ）上では以下のキーと対比する。
「合計」＝「Ｍ１」、「重量／作業」＝「Ｍ２」、「前画面」＝「Ｆ１」、「担当者」＝「Ｆ２」、「荷姿」＝「Ｆ５」、「転送」＝「６」、「入力」＝「Ｆ７」、「↑」＝「Ｆ４」、「↓」＝「Ｆ８」。
注１）「前画面」キーは「転送」キーが押し下げられる以前の全てのモード、かつ『業務選択画面』を除く全ての画面上で機能する。
注２）「Ｆ３」は空。
【００５１】
(2)ブザー
携帯端末（ＢＨＴ）のキーを操作する時には、受け付け音（”ピッ”）を出す。また、間違った操作を行った時には警告音（”ピッ、ピッ、ピッ”）を発する。
(3)入力年月日
収集モードの時は、マニフェスト伝票番号を入力した時の年月日時分秒を格納する。
積替、搬出、保管モードの時は、担当者コードを入力した時の年月日時分秒を格納する。
搬入、最終モードの時は、車両ＩＤを入力した時の年月日時分秒を格納する。
処理モードの時は、作業区分コードを入力した時の年月日時分秒を格納する。
(4)リジウム機能
作業の途中で「ＰＷ」キーを押し下げ電源が切れても、携帯端末は電源が切れる直前の状態を記憶しており、次に電源を立ち上げた時には、切れる直前の画面で立ち上がる。
(5)オートパワーオフ機能
転送が終了して一括消去後自動的に電源が切れる。但し、「転送」キーが押されていない限りは機能しない。
(6)環境設定
ＢＨＴ−５０００取扱説明書に基づく。
【００５２】
実施例３
車載表示端末（ＲＥＧＩＯ：レギオ）機能仕様
ＳＣＭＳｙｓｔｅｍの中の、廃棄物の収集・管理を行う車載機器の内、車載端末の機能仕様について説明する。
機能
基本機能（ハード、ソフト）は、レギオ取扱説明書に基づく。また、携帯端末からの情報は、車載表示端末上において以下の様に表示する。
(1)表示項目
表示の開始：携帯端末からの情報が車載表示端末に転送された後に、車載表示端末の『メニュー画面』（図３８）において［４：送信履歴］を選択した時
表示の終了：車載表示端末の「メニュー」キー又は「訂正」キーを押し下げた時、キーを操作しない時間が、設定された時間を超過した時
表示の仕方：各モード毎に必要項目を表示
車載表示端末上の画面イメージを図３９〜４５に示す。
(2)操作項目
レギオ取扱説明書に基づく。
【００５３】
実施例４
メッセージ配信装置仕様
メッセージ配信装置は、オムニトラックスネットワーク管理システムにおいて、車載端末から受信したメッセージをお客様の運行管理システムなどを構成するホストコンピューターやサーバ、あるいはクライアント装置などに、そのシステムでの利用条件に従って配信する装置である。廃棄物追跡・管理システムにおいても、マニフェスト情報や車両運行情報をマニフェスト管理・集計システムや運行管理システムに適切に配信するための機能を本配信装置に追加するものとする。
システム構成
ＳＣＭＳｙｓｔｅｍのネットワーク構成メッセージ配信装置の位置づけを図４６に示す。
機能
１．アカウントの登録
(1)アカウントの登録
ＳＣＭＳｙｓｔｅｍにおけるマニフェスト管理・集計システム（ＡＳ／４００）および運行管理システム（ＪＱＴＲＡＣＳ）をアカウントマスタに登録する。
これらのシステムには、本出願人が登録されているアカウントグループに属するアカウント（マスタ×１、サブ×１０２３）のうちの一つが事前に割り当てられる。
(2)アカウント種別の登録
マニフェスト情報や運行情報を正しく配信するため、アカウントの登録の際にそのアカウントがマニフェスト管理・集計システムであるか否かの種別を登録する。（アカウント種別の登録はアカウントの新規登録時のみ可能とする。）
２．車載端末の登録
ＳＣＭＳｙｓｔｅｍで使用される車載端末（ＭＣＴ）を、原則としてその車両が所属する収集・運搬業者に設置された運行管理システムのアカウントをオーナーとしてＭＣＴマスタに登録する。（ただし、収集・運搬業者に運行管理システムが設置されない場合はこの限りではない。）
３．メッセージ配信先アカウントの登録
車載端末から受信した以下のそれぞれの情報について配信すべきアカウントを登録する。
(1)車両運行情報：メッセージ配信先テーブルに登録する。
（マニフェスト情報を除く作業状況報告およびその他のメッセージ。）
(2)車両位置情報：位置情報配信先テーブルに登録する。
４．メッセージの配信
車載端末から受信した情報をそれぞれ以下の条件に従って配信する。
(1)マニフェスト情報：配信先テーブルの登録内容の如何に関わらず、マニフェスト管理・集計システムのアカウントにのみ配信する。
(2)車両運行情報：当該車載端末に対応するメッセージ配信先テーブルに登録されたアカウントに配信する。（マニフェスト管理・集計システムには配信しない。）
(3)車両位置情報：当該車載端末に対応する位置情報配信先テーブルに登録されたアカウントに配信する。（マニフェスト管理・集計システムには配信しない。）
【００５４】
実施例５
プロトコル
１．マニフェスト管理・集計システム〜メッセージ配信装置間プロトコル
マニフェスト管理・集計システムとメッセージ配信装置間のプロトコルは、基本的にオムニトラックシステムが用意している顧客システムインターフェースであるカストマーインターフェースプロトコル（ＣＩＰ）を基本とするが、別途以下を定めるものとする。
(1)接続回線
種  別  ：  一般専用回線（９６００ｂｐｓ）
同期方式：  非同期（Ａｓｙｎｃ）
(2)パケット種別
ＣＩＰで用意されているパケットのうち以下のパケットのみを使用する。
0003707205.tif 000005
(3)送受信シーケンス
２．マニフェスト管理・集計システム〜携帯端末間プロトコル
(1)情報種別
マニフェスト管理・集計システムと携帯端末間で伝送される情報は、携帯端末からマニフェスト管理・集計システムに送信されるマニフェスト情報のみで、データ区分により以下の種類に分けられる。
0003707205.tif 000006
※マニフェスト管理・集計システムから携帯端末に送信する情報はない。
(2)転送タイミング
携帯端末より随時マニフェスト管理・集計システムに送信される。
(3)フォーマット
上記各データ区分別のフォーマットを表２〜５に示す。
【００５５】
【表２】
0003707205.tif 000007
【００５６】
【表３】
0003707205.tif 000008
【００５７】
【表４】
0003707205.tif 000009
【００５８】
【表５】
0003707205.tif 000010
【００５９】
【発明の効果】
排出事業所の発生源ごとの特別管理廃棄物を実質重量で管理することが可能である廃棄物処理情報管理方法およびシステムを提供することができる。特別管理廃棄物の分別と排出量の抑制、排出事業所の経営上の管理に活用できるデータおよび、行政報告用のデータを提供し、排出事業所の発生源単位の特別管理廃棄物の固体別（容器または運搬車）位置情報を地図上でリアルタイム（現在どこを運搬中か、処理工場に搬入済みか、処理終了かの位置情報および運搬経路等）に把握できる。これにより不法投棄等の問題を解決することが可能である。
【００６０】
収集場所からの搬出時と廃棄処埋施設への搬入時とのそれぞれにおいて封入容器の個数を収集場所単位で照合することができ、搬送時の過誤に基づく封入容器の紛失や不法投棄等の不適性な処理を減少させ、過誤が生じたときにはこれを正確に検出しすみやかに対処することができる。
【図面の簡単な説明】
【図１】ＳＣＭＳシステム（Satellite Communication Management Systemの略）の概略を説明する図面である。
【図２】排出事業所の業務フローの概略を説明する図面である。
【図３】収集・運搬業者の業務フローの概略を説明する図面である。
【図４】中間処理業者の業務フローの概略を説明する図面である。
【図５】管理センターの業務フロー（マニフェスト）の概略を説明する図面である。
【図６】管理センターの業務フロー（運行管理）の概略を説明する図面である。
【図７】実施例２の廃棄物の収集・管理を行う車載機器の構成を示した図面である。
【図８】実施例２の携帯端末上で業務を選択する際の業務選択画面の画面イメージである。
【図９】実施例２の携帯端末上で業務を選択する際の担当者コード入力画面の画面イメージである。
【図１０】実施例２の携帯端末上で情報を入力する際のモード選択画面の画面イメージである。
【図１１】実施例２の携帯端末上で情報を入力する際の入力画面１の画面イメージである。
【図１２】実施例２の携帯端末上で情報を入力する際の重量入力選択画面の画面イメージである。
【図１３】実施例２の携帯端末上で情報を入力する際の入力画面２の画面イメージである。
【図１４】実施例２の携帯端末上で情報を入力する際のエラーメッセージ画面１の画面イメージである。
【図１５】実施例２の携帯端末上で情報を入力する際の入力画面３の画面イメージである。
【図１６】実施例２の携帯端末上で情報を入力する際の入力画面４の画面イメージである。
【図１７】実施例２の携帯端末上で情報を入力する際の車両ＩＤ入力画面の画面イメージである。
【図１８】実施例２の携帯端末上で情報を入力する際の作業区分入力画面の画面イメージである。
【図１９】実施例２の携帯端末上で情報集計する際の合計表示画面１の画面イメージである。
【図２０】実施例２の携帯端末上で情報集計する際の合計表示画面２の画面イメージである。
【図２１】実施例２の携帯端末上で情報集計する際の合計表示画面３の画面イメージである。
【図２２】実施例２の携帯端末上で情報集計する際の合計表示画面４の画面イメージである。
【図２３】実施例２の携帯端末上で情報を転送する際の転送画面図の画面イメージである。
【図２４】実施例２の携帯端末上で情報を消去する際の転送画面の画面イメージである。
【図２５】実施例２の携帯端末上でのキー押し下げに伴う画面遷移を示した図面である。
【図２６】実施例２の携帯端末を用いた業務の設定（選択）のフローチャートを示した図面である。
【図２７】実施例２の携帯端末を用いた車両業務のフローチャートを示した図面である。
【図２８】実施例２の携帯端末を用いたコンテナ入力処理のフローチャートを示した図面である。
【図２９】実施例２の携帯端末を用いたコンテナ入力処理のフローチャートを示した図面である。
【図３０】実施例２の携帯端末を用いた積替業務および搬出業務のフローチャートを示した図面である。
【図３１】実施例２の携帯端末を用いた積替業務および搬出業務のフローチャートを示した図面である。
【図３２】実施例２の携帯端末を用いた保管業務のフローチャートを示した図面である。
【図３３】実施例２の携帯端末を用いた保管業務のフローチャートを示した図面である。
【図３４】実施例２の携帯端末を用いた搬入業務および最終業務のフローチャートを示した図面である。
【図３５】実施例２の携帯端末を用いた搬入業務および最終業務のフローチャートを示した図面である。
【図３６】実施例２の携帯端末を用いた処理業務のフローチャートを示した図面である。
【図３７】実施例２の携帯端末を用いた処理業務のフローチャートを示した図面である。
【図３８】実施例３の車載表示端末のメニュー画面を示した図面である。
【図３９】実施例３の車載表示端末の収集モード送信履歴の画面イメージである。
【図４０】実施例３の車載表示端末の積替モード送信履歴の画面イメージである。
【図４１】実施例３の車載表示端末の搬出モード送信履歴の画面イメージである。
【図４２】実施例３の車載表示端末の保管モード送信履歴の画面イメージである。
【図４３】実施例３の車載表示端末の搬入モード送信履歴の画面イメージである。
【図４４】実施例３の車載表示端末の処理モード送信履歴の画面イメージである。
【図４５】実施例３の車載表示端末の最終処理モード送信履歴の画面イメージである。
【図４６】実施例４のＳＣＭＳｙｓｔｅｍのネットワーク構成メッセージ配信装置の位置づけを示した図面である。
【図１】
0003707205.tif 000011
【図２】
0003707205.tif 000012
【図３】
0003707205.tif 000013
【図４】
0003707205.tif 000014
【図５】
0003707205.tif 000015
【図６】
0003707205.tif 000016
【図７】
0003707205.tif 000017
【図８】
0003707205.tif 000018
【図９】
0003707205.tif 000019
【図１０】
0003707205.tif 000020
【図１１】
0003707205.tif 000021
【図１２】
0003707205.tif 000022
【図１３】
0003707205.tif 000023
【図１４】
0003707205.tif 000024
【図１５】
0003707205.tif 000025
【図１６】
0003707205.tif 000026
【図１７】
0003707205.tif 000027
【図１８】
0003707205.tif 000028
【図１９】
0003707205.tif 000029
【図２０】
0003707205.tif 000030
【図２１】
0003707205.tif 000031
【図２２】
0003707205.tif 000032
【図２３】
0003707205.tif 000033
【図２４】
0003707205.tif 000034
【図２５】
0003707205.tif 000035
【図２６】
0003707205.tif 000036
【図２７】
0003707205.tif 000037
【図２８】
0003707205.tif 000038
【図２９】
0003707205.tif 000039
【図３０】
0003707205.tif 000040
【図３１】
0003707205.tif 000041
【図３２】
0003707205.tif 000042
【図３３】
0003707205.tif 000043
【図３４】
0003707205.tif 000044
【図３５】
0003707205.tif 000045
【図３６】
0003707205.tif 000046
【図３７】
0003707205.tif 000047
【図３８】
0003707205.tif 000048
【図３９】
0003707205.tif 000049
【図４０】
0003707205.tif 000050
【図４１】
0003707205.tif 000051
【図４２】
0003707205.tif 000052
【図４３】
0003707205.tif 000053
【図４４】
0003707205.tif 000054
【図４５】
0003707205.tif 000055
【図４６】
0003707205.tif 000056